(57)【要約】【課題】好適な表示制御が可能な画像表示装置を提供する。【解決手段】本発明の画像表示装置１は、複数の領域Ｒに分割され、分割領域Ｒごとに画像表示が可能で、且つ該分割領域Ｒごとに所定の方向からの観察を不能とする遮蔽機能のオンオフが可能な遮蔽構造１００を有する画像表示部２０，２０Ａと、前記画像表示部２０，２０Ａを観察する観察者の数及び位置を検出する検出部５１ｃと、前記検出部５１ｃによる検出結果に基づき、前記観察者が検出された位置に対応する前記分割領域Ｒに画像を表示させ、複数の観察者が検出された場合に、ある観察者に対して表示されている画像が他の観察者から遮蔽されるように前記遮蔽構造１００を動作させる制御部５１と、を備えること、を特徴とする。【選択図】図７
2014233005.tif 000002
【特許請求の範囲】
【請求項１】
複数の領域に分割され、分割領域ごとに画像表示が可能で、且つ該分割領域ごとに所定の方向からの観察を不能とする遮蔽機能のオンオフが可能な遮蔽構造を有する画像表示部と、
前記画像表示部を観察する観察者の数及び位置を検出する検出部と、
前記検出部による検出結果に基づき、前記観察者が検出された位置に対応する前記分割領域に画像を表示させ、複数の観察者が検出された場合に、ある観察者に対して表示されている画像が他の観察者から遮蔽されるように前記遮蔽構造を動作させる制御部と、
を備えること、を特徴とする画像表示装置。
【請求項２】
請求項１に記載の画像表示装置であって、
前記制御部は、
前記検出部により検出される前記観察者の位置及び数が変動した場合、該位置及び数に対応させて前記遮蔽構造を動作させる前記分割領域を変動させること、
を特徴とする画像表示装置。
【請求項３】
請求項１または２に記載の画像表示装置であって、
前記制御部は、ある観察者から見たときに、その観察者を中心とした一定範囲内の前記分割領域の観察が可能で、該分割領域外の領域に表示されている画像が遮蔽されるように前記遮蔽構造を動作させること、
を特徴とする画像表示装置。
【請求項４】
請求項１から３のいずれか１項に記載の画像表示装置であって、
前記遮蔽構造を、前記検出部による検出結果に基づき前記遮蔽機能が自動的にオンオフされる動作状態か、前記遮蔽機能が常にオフである非動作状態かのいずれにするかを選択可能な選択部を備えること、
を特徴とする画像表示装置。
【請求項５】
請求項４に記載の画像表示装置であって、
前記選択部による選択は、観察者ごとに可能であること、
を特徴とする画像表示装置。
【請求項６】
請求項１から５のいずれか１項に記載の画像表示装置であって、
前記遮蔽構造は、球面又は多面であること、
を特徴とする画像表示装置。
【請求項７】
第１方向から観察でき第１方向とは異なる第２方向から観察できない第１状態と、前記第１方向及び前記第２方向から観察できる第２状態とに切替えが可能な画像表示部と、
前記画像表示部を観察する第１観察者と、前記第１観察者とは異なる第２観察者とを検出する検出部と、
前記第１観察者が検出された位置に対応する所定領域について、前記第２観察者が検出されていないとき前記第２状態に切替え、前記第２観察者が検出されたとき前記第１状態に切替えるように前記画像表示部を制御する制御部とを備えること、を特徴とする画像表示装置。
【発明の詳細な説明】
【技術分野】
【０００１】
本発明は、画像表示装置に関するものである。
【背景技術】
【０００２】
デジタル画像等を表示する画像表示装置として、半球状の表示面を２つ組み合わせて立体的な表示を可能にする表示装置が知られている（例えば、特許文献１参照）。
このような球面表示装置は、複数の観察者が同時に観察している場合、ある観察者の観察画面が他の観察者から見える可能性がある。携帯電話等のモバイル機器においては、このような問題を解消するため、覗き見防止シートや覗き見防止機能のオンオフが可能な画面が商品化されている。
【先行技術文献】
【特許文献】
【０００３】
【特許文献１】特許３９２１２０５号公報
【発明の概要】
【発明が解決しようとする課題】
【０００４】
しかし、これらの覗き見防止シートや画面は、一画面の全体に対しての適用が前提となっている。このため、複数観察者が同時に使用可能な大画面や半球状の表示面を有する表示装置において、観察者ごとの要望を満たすことがでない。
【０００５】
本発明の課題は、好適な表示制御が可能な画像表示装置を提供することである。
【課題を解決するための手段】
【０００６】
本発明は、以下のような解決手段により前記課題を解決する。
請求項１に記載の発明は、複数の領域に分割され、分割領域ごとに画像表示が可能で、且つ該分割領域ごとに所定の方向からの観察を不能とする遮蔽機能のオンオフが可能な遮蔽構造を有する画像表示部と、前記画像表示部を観察する観察者の数及び位置を検出する検出部と、前記検出部による検出結果に基づき、前記観察者が検出された位置に対応する前記分割領域に画像を表示させ、複数の観察者が検出された場合に、ある観察者に対して表示されている画像が他の観察者から遮蔽されるように前記遮蔽構造を動作させる制御部と、を備えること、を特徴とする画像表示装置である。
請求項２に記載の発明は、請求項１に記載の画像表示装置であって、前記制御部は、前記検出部により検出される前記観察者の位置及び数が変動した場合、該位置及び数に対応させて前記遮蔽構造を動作させる前記分割領域を変動させること、を特徴とする画像表示装置である。
請求項３に記載の発明は、請求項１または２に記載の画像表示装置であって、前記制御部は、ある観察者から見たときに、その観察者を中心とした一定範囲内の前記分割領域の観察が可能で、該分割領域外の領域に表示されている画像が遮蔽されるように前記遮蔽構造を動作させること、を特徴とする画像表示装置である。
請求項４に記載の発明は、請求項１から３のいずれか１項に記載の画像表示装置であって、前記遮蔽構造を、前記検出部による検出結果に基づき前記遮蔽機能が自動的にオンオフされる動作状態か、前記遮蔽機能が常にオフである非動作状態かのいずれにするかを選択可能な選択部を備えること、を特徴とする画像表示装置である。
請求項５に記載の発明は、請求項４に記載の画像表示装置であって、前記選択部による選択は、観察者ごとに可能であること、を特徴とする画像表示装置である。
請求項６に記載の発明は、請求項１から５のいずれか１項に記載の画像表示装置であって、前記遮蔽構造は、球面又は多面であること、を特徴とする画像表示装置である。
請求項７に記載の発明は、第１方向から観察でき第１方向とは異なる第２方向から観察できない第１状態と、前記第１方向及び前記第２方向から観察できる第２状態とに切替えが可能な画像表示部と、前記画像表示部を観察する第１観察者と、前記第１観察者とは異なる第２観察者とを検出する検出部と、前記第１観察者が検出された位置に対応する所定領域について、前記第２観察者が検出されていないとき前記第２状態に切替え、前記第２観察者が検出されたとき前記第１状態に切替えるように前記画像表示部を制御する制御部とを備えること、を特徴とする画像表示装置である。
【発明の効果】
【０００７】
本発明によると、好適な表示制御が可能な画像表示装置を提供することができる。
【図面の簡単な説明】
【０００８】
【図１】本発明の第１実施形態である画像表示装置の外観斜視図である。
【図２】画像表示装置の概念的な縦断面図である。
【図３】画像表示装置の機能ブロック構成図である。
【図４】画像投影部における表示素子およびバックライトの説明図である。
【図５】画像撮影部で撮影された画像の例である。
【図６】スクリーンに表示された画像を示したものであり、（ａ）は、人物が一人観察している場合、（ｂ）は、人物が二人観察している場合、（ｃ）は、人物が三人観察している場合である。
【図７】遮蔽構造を説明する図である。
【図８】第２実施形態の遮蔽構造を説明する図である。
【発明を実施するための形態】
【０００９】
（第１実施形態）
以下、図面等を参照して、本発明の実施形態について説明する。
図１は、本発明の第１実施形態の画像表示装置１の外観斜視図である。図２は、画像表示装置１の概念的な縦断面図である。図３は、画像表示装置１の機能ブロック構成図である。
【００１０】
画像表示装置１は、半球状のスクリーン２０の周方向全周（周囲３６０°）に画像を表示可能な表示装置である。
図１から図３に示すように、画像表示装置１は、直方体状の中空部材である基部筐体１Ａに、表示部１０と、画像撮影部４０と、制御装置５０と、を備えて構成されている。
表示部１０は、スクリーン２０と、画像投影部３０と、を備えている。
スクリーン２０は、所定厚さの透明素材（アクリル等の樹脂やガラス）によって中空半球面体のドーム状に形成され、その内周面に、内部から照射される画像光を乱反射するスクリーン層（図示せず）を備えている。
【００１１】
また、スクリーンの外周面には、タッチパネル２１（図３参照、図１および２には示さず）も設けられている。
タッチパネル２１は、観察者がスクリーン２０の表面を指で接触することによって、画像表示装置１を操作するための操作信号を出力する。タッチパネル２１は、後述する画像投影部３０による画像の投影範囲（スクリーン２０の表示領域）上に格子状に区切られた微細な入力領域を有しており、観察者がこのタッチパネル２１上を指やタッチペンで接触（タッチ操作、なぞり操作）すると接触位置にある入力領域がオンされる。
タッチパネル２１は、オンされた入力領域のタッチパネル２１上における位置を特定する情報、たとえば座標値をタッチパネル２１の操作信号として後述する制御回路５１へ出力する。
【００１２】
画像投影部３０は、投影レンズ３１と、表示素子３２と、バックライト３３と、投影駆動部３４とが一体に構成され、基部筐体１Ａの内部の、スクリーン２０の半球面体の中心軸上付近に配置されている。
投影レンズ３１は、たとえば投影角がほぼ１８０°の魚眼レンズであり、後述する表示素子３２が生成した光像をスクリーン２０の内壁面に向けて投影する。
表示素子３２は、たとえば透過型の液晶パネル等により構成され、投影駆動部３４からの駆動信号によって駆動されて、画素ごとの液晶層の光の透過率を変化させた画像を形成する。
【００１３】
図４は画像投影部における表示素子およびバックライトの説明図である。バックライト３３は、図４に示すように、基板３３ｂ上に複数のＬＥＤ３３ａを全体として均一な発光量の面光源となるように二次元に配列して構成されている。
バックライト３３は、表示素子３２の背面側に、表示素子３２に照射光を照射するように隣接して配設されている。そして、バックライト３３は、制御装置５０における制御回路５１からの制御信号に応じて投影駆動部３４により供給される電流に応じた明るさで、表示素子３２を照明する。
【００１４】
投影駆動部３４は、後述する制御回路５１からの制御信号に応じて、表示素子３２を制御駆動（画像処理部５１ａにより生成された投影画像データに応じて表示素子３２の駆動信号を生成）する。また、投影駆動部３４は、制御回路５１からの制御信号に応じてバックライト３３を制御駆動する。
【００１５】
上記構成の画像投影部３０は、制御回路５１からの情報に基づいて投影駆動部３４によって制御駆動され、バックライト３３の照明光を表示素子３２が画像信号に応じて変調して光像を生成し、その光像を投影レンズ３１がスクリーン２０の内壁面の略全域（後述する画像撮影部４０におけるＰＡＬレンズ４１部分を除いて）に投影する。
【００１６】
そして、上記スクリーン２０と画像投影部３０とから成る表示部１０は、画像投影部３０から投影された光像を、スクリーン２０が、内周面のスクリーン層で画像投影部３０から投影された光像を外部から観察可能な画像として表示する。
【００１７】
画像撮影部４０は、画像表示装置１の外部を全方位（水平方向に３６０度）撮影可能な光学系、たとえばＰＡＬ（Ｐａｎｏｒａｍｉｃ  Ａｎｎｕａｌ  Ｌｅｎｓ）を備える小型カメラであり、スクリーン２０の半球面体の頂部に設けられている。
画像撮影部４０は、ＰＡＬレンズ４１と、撮影レンズ４２と、撮像素子４３とを備えている。
【００１８】
ＰＡＬレンズ４１は、たる型の透明体からなり、一点鎖線で示す軸線Ｚのまわりに凸形状に形成された外周面４１ａと、上端面４１ｂと下端面４１ｃとを有している。上端面４１ｂは凹状の湾曲面で、透明体内を通過してこの到達する光に対しては凸形状の反射面として作用する。下端面４１ｃは軸線Ｚと垂直な平面で、透明体内を通過してこの面に到達する光に対してレンズ面（屈折面）として作用する。
【００１９】
外周面４１ａは軸線Ｚと垂直な平面によって、上方外周面４１ｒと下方外周面４１ｍとに分割され、上方外周面４１ｒは周囲の３次元像が入射する面でレンズ面（屈折面）として作用し、下方外周面４１ｍは上方外周面４１ｒから入射し透明体内を通過してこの面に到達する光に対して凹面状の反射面として作用する。
【００２０】
上記構成のＰＡＬレンズ４１では、その周囲の３６０度の円筒空間Ｐの３次元像は、上方外周面４１ｒのなす空間角の幅で取り込まれる。上方外周面４１ｒを通ってＰＡＬレンズ４１内に入射した光は、対向する下方外周面４１ｍで反射して、次に上端面４１ｂで反射して、下端面４１ｃより射出される。このとき、下端面４１ｃから射出された光束はＰＡＬレンズ４１内に虚像を結ぶ。
【００２１】
撮影レンズ４２は、たとえばリレーレンズにより構成され、後述するようにＰＡＬレンズ４１により虚像を結んだ画像表示装置１の周囲の３６０度方向からの光束を正立像として撮像素子４３に結像させる。
撮像素子４３は、たとえばＣＣＤやＣＭＯＳ等により構成され、ＰＡＬレンズ４１および撮影レンズ４２を介して撮像面に結像した像を撮像して、画像信号をケーブル６０を介して後述する制御装置５０に出力する。
また、上記画像撮影部４０は、画像投影部３０からスクリーン２０へ画像投影を極力妨げないように小型に構成されている。
【００２２】
制御装置５０は、図３に示すように、制御回路５１と、画像メモリ５２と、外部インタフェース５３と、カードインタフェース５４と有している。
制御回路５１は、図示しないＣＰＵ、ＲＯＭ、ＲＡＭなどを有し、制御プログラムに基づいて、画像表示装置１の各構成要素を制御したり、各種のデータ処理を実行する演算回路である。制御プログラムは、制御回路５１内の不図示の不揮発性メモリに格納されている。制御回路５１は、画像撮影部４０および表示部１０（画像投影部３０）の駆動を制御する。
【００２３】
制御回路５１は、画像処理部５１ａと、人物検出部５１ｃと、を機能的に備える。
画像処理部５１ａは、画像撮影部４０から入力した画像信号に対して種々の画像処理を行なう。また、画像処理部５１ａは、画像メモリ５２に記録されている画像データに基づいて、表示部１０による表示画像データ（画像投影部３０によりスクリーン２０に画像を投影するための投影画像データ）を生成する。
人物検出部５１ｃは、公知の顔検出処理等により、画像表示装置１の外部周辺の人物（観察者）の人数及び位置等を検出する。
【００２４】
外部インタフェース５３は、たとえば画像表示装置１に電子カメラやパーソナルコンピュータなどの外部機器を接続するＵＳＢインタフェースである。画像表示装置１は、外部インタフェース５３を介して外部機器から画像ファイルなどを入力する。カードインタフェース５４は、メモリカード７０が着脱可能なインタフェースである。カードインタフェース５４は、制御回路５１の制御に基づいて、画像ファイルをメモリカード７０に書き込んだり、メモリカード７０に記録されている画像ファイルを読み出すインタフェース回路である。メモリカード７０はコンパクトフラッシュ（登録商標）やＳＤカードなどの半導体メモリカードである。
【００２５】
画像メモリ５２は、たとえばハードディスク等の不揮発性メモリである。画像メモリ５２には、外部インタフェース５３やカードインタフェース５４を介して外部機器やメモリカード７０から入力した画像ファイルなどが記録されている。
【００２６】
上記のように構成された制御装置５０は、観察者による前述したタッチパネル２１の操作入力に基づいて、投影駆動部３４を制御して記録媒体等（画像メモリ５２、外部インタフェース５３を介した外部機器、カードインタフェース５４に接続されたメモリカード等）が保持する種々画像を表示部１０におけるスクリーン２０に表示する。また、画像撮影部４０によって画像表示装置１の外部周辺を撮像し、その撮像をスクリーン２０に表示し、指令に応じて記録媒体等に記録する。
【００２７】
本実施形態において、スクリーン２０は図１に示すように円周方向に複数（本実施形態ではＲ１からＲ８の８つ）の領域に分割されている。そして、分割領域Ｒはそれぞれ、個別に制御可能な遮蔽構造１００を有する（領域Ｒ３の遮蔽構造１００のみを図示）。
【００２８】
この遮蔽構造１００は、制御部５１に接続されたスイッチ１０１（図３)の操作によって後述するように人物検出部５１ｃの検出結果により自動的にオンオフ可能な作動状態と、常にオフの非作動状態(すなわち状況によらず作動しない状態)とを選択可能である。スイッチ１０１は、例えば、スクリーン２０に表示された画像(インターフェース)のタッチパネル操作によりオンオフが選択できるようになっている。オンの状態で遮蔽構造１００は、スクリーンの全部又は一部を、所定の視線方向から遮蔽する遮蔽機能を作動させることが可能となる。
【００２９】
遮蔽構造１００は、例えば、スクリーンの視野角を電気的に制御できる液晶であり、電圧をかけることで液晶分子の配向を制御するものである。この構造によると、通常は一般的な液晶ディスプレイと同様、広い視野角で表示できるが、必要に応じて光を正面方向にのみ透過させ、左右への光を遮断することができる。このとき横から画面を覗くと、画面が暗くて非常に見づらい状態となっている。ただし、この遮蔽構造１００に限定されず、他の遮蔽構造１００であっても良い。
【００３０】
この遮蔽構造１００は、覗き見防止が目的であり、厳密に半球状のスクリーン２０と同一形状である必要は無い。本実施形態で遮蔽構造１００は、図１に示すように、それぞれが遮蔽構造１００を有する平面部材をスクリーン上に複数（図１においてはそれぞれの領域Ｒごとに３枚づつ）合わせて形成されている。このように平面部材を複数張り合わせた場合、平面形状の遮蔽部材を利用することができ、製造が容易且つ安価となる。
【００３１】
本実施形態によると、上述の画像撮影部４０で撮影された画像は図５のようになる。この画像を、画像処理部５１ａが画像処理し、処理画像は人物検出部５１ｃによって解析され、画角内に人物が存在するか否かが判定される。人物検出部５１ｃは、人物が存在する場合、さらに、その人数と座標を算出する。例えば、図５の場合は、人物Ａが一人、１８０°の位置にいると算出される。
【００３２】
算出された座標と人数に基づいて、制御回路５１は、画像投影部３０に指示し、スクリーン２０上において人物Ａが存在する位置に最も近い位置を中心として、画像を表示させる。
図６は、スクリーン２０に表示された画像を示したものである。
図６（ａ）は、図５に示すように人物Ａが一人観察している場合のスクリーン表示例である。この場合、人物Ａに最も近いスクリーン上の位置ａを中心として画像（インターフェース）を１組表示される。
【００３３】
図６（ｂ）は、人物Ａと、画像表示装置１を挟んで人物Ａと対面する人物Ｂが観察している場合である。
この場合、人物Ａ、Ｂが存在する位置ａとａ’とを結んで、スクリーンの中心Ｏを通る曲線ａ−ａ’とスクリーンの中心Ｏで直交する曲線ｂ-ｂ’(太い鎖線)に沿ってスクリーンが分割される。
そして、分割された一方の領域（Ｒ１からＲ４）には、人物Ａに対する画像（インターフェース）が表示され、分割された他方の領域（Ｒ５からＲ８）には、人物Ｂに対する画像（インターフェース）が表示される。
【００３４】
図６（ｃ）は、人物Ａと人物Ｂがスクリーンを観察しているときに、人物Ｃが位置ｂに加わった場合の表示例である。
この場合、画像表示装置１は、人物Ｃを画像撮影部４０により撮影し、画像処理部５１ａ及び人物検出部５１ｃが、人物Ｃの存在及び位置を検出する。そして、人物Ａ及び人物Ｂの表示領域を狭めて、表示領域の新しい境界線を構成し、人物Ｃの前に新たに領域（Ｒ４，Ｒ５）を確保して画面（インターフェース）を表示する。
【００３５】
すなわち、人物Ｃが存在する位置ｂと人物Ａの位置ａとの間の位置ｃ、人物Ｃが存在する位置ｂと人物Ｂの位置ａ’との間の位置ｄ、のそれぞれとスクリーンの中心Ｏとを結ぶ曲線ｃ−Ｏ、曲線ｄ−Ｏという分割線（太い鎖線）が出来る。
図６（ｂ）の曲線ｂ−ｂ’のうちの曲線ｂ−Ｏは、分割線ではなくなるが、曲線ｂ’−Ｏは分割線のままである。
【００３６】
そして、曲線ｂ’−Ｏと曲線ｃ−Ｏとの間の領域Ｒ１−Ｒ３は人物Ａに対する画像（インターフェース）が表示され、曲線ｃ−Ｏと曲線ｄ−Ｏとの間の領域Ｒ４、Ｒ５は人物Ｃに対する画像（インターフェース）が表示され、曲線ｄ−Ｏと曲線ｂ’−Ｏとの間の領域Ｒ６−Ｒ８は人物Ｂに対する画像（インターフェース）が表示される。
すなわち、人数が増えた場合、人数分の画像（インターフェース）が、それぞれの人の正面に位置するように表示される。
【００３７】
ここで、図６（ａ）の場合はスクリーンを観察している人物は人物Ａの一人であるので、遮蔽構造１００がオンになっていても、遮蔽構造１００は動作させなくとも良い。
【００３８】
図６（ｂ）の場合はスクリーンを観察している人物は人物Ａと人物Ｂとの二人である。本実施形態では人物Ａと人物Ｂは、互いに反対側に位置しているので互いの画像が見えることはない。
【００３９】
しかし、人物が２人いる場合、位置によっては互いの画像が見える場合もある。したがって、人物が２人いる場合は人物の間隔を検出して、間隔が所定値以上の場合は覗き見の可能性が低いと考えられるので遮蔽構造１００を作動させないようにし、所定値より小さくなった場合に遮蔽構造１００を作動させるようにする。
この所定値は、ディスプレイの形状と、人物の位置により、遮蔽構造１００がないと他人の表示領域が見えてしまう場合の最も広い間隔に基づいて決定される。
【００４０】
図６（ｃ）の場合、人物Ｃによって人物Ａ及びＢの画像が、また、人物Ａ及びＢによって人物Ｃの画像が除き見られる可能性がある。そこで、人物Ｃに向いた領域に対応する遮蔽構造１００が自動的にオンにされる。
【００４１】
図７は、図６（ｃ）の場合の遮蔽構造１００を説明する図である。
図７（ａ）は人物Ａの視界を示した図である。
人物Ｃに対して表示されている画面Ｒ４は、遮蔽構造１００がオンになっているので、観察することが出来ない。なおＲ５からＲ８は、人物Ａの位置からは、遮蔽構造１００のオンオフに限らず観察することができないので、人物Ａの視界に関しては、遮蔽構造１００はオンであってもオフであってもよい。
【００４２】
図７（ｂ）は人物Ｂの視界を示した図である。
人物Ｃに対して表示されている画面Ｒ５は、遮蔽構造１００がオンになっているので、観察することが出来ない。なおＲ１からＲ４は、人物Ｃの位置からは、遮蔽構造１００のオンオフに限らず観察することができないので、人物Ｃの視界に関しては、遮蔽構造１００はオンであってもオフであってもよい。
【００４３】
図７（ｃ）は人物Ｃの視界を示した図である。
人物Ａに対して表示されている画面Ｒ３は、遮蔽構造１００がオンになっているので、観察することが出来ない。人物Ｂに対して表示されている画面Ｒ６は、遮蔽構造１００がオンになっているので、観察することが出来ない。なおＲ１、Ｒ２及びＲ７，Ｒ８は、人物Ｂの位置からは、遮蔽構造１００のオンオフに限らず観察することができないので、人物Ｃの視界に関しては、遮蔽構造１００はオンであってもオフであってもよい。
【００４４】
すなわち、この位置関係の場合、少なくともＲ３からＲ６の遮蔽構造１００がオンになっていれば、互いの覗き見が防止される。なお、遮蔽構造１００をオンにする領域は、人物の数だけでなく、その位置によっても異なるので、２人の場合でも遮蔽構造１００をオンにする必要がある場合もあり、また３人の場合にオンにする領域も人物の位置により異なる。
【００４５】
なお、人物Ａ，Ｂ，Ｃは、遮蔽構造１００による遮蔽動作が不要と思えば、スイッチ１０１の操作により自動オンオフを非作動（すなわち常にオフ）とすることが出来る。
この操作は、人物Ａ，Ｂ，Ｃがそれぞれ可能である。例えば人物Ａが自己に対して表示されている画像の遮蔽機能の自動オンオフを非作動にしても、人物Ｂ，Ｃが自己の画像に対して遮蔽機能の自動オンオフを非作動にしていない場合は、人物Ｂ、Ｃの画像の遮蔽は作動可能である。
【００４６】
以上、本実施形態によると、スクリーン上の領域を複数の領域に分け、その領域ごとに独立してオンオフが可能な遮蔽構造１００を設け、それを各領域の画面の前に人物がいるか否かの判定と連動するように構成したため、利便性が向上する。
【００４７】
（第２実施形態）
次に、本発明の第２実施形態について説明する。
第２実施形態基本的な構造は第１実施形態と同様である。第１実施形態と異なるのは、スクリーン２０Ａが平面である点である。また画像撮影部は、第１実施形態と同様に、スクリーン２０Ａ中央に設けても良く、また、筐体の内部に画像撮影部を備え、スクリーン２０Ａの隙間から人物を撮影して検知するような構造であっても良い。
【００４８】
図８は第２実施形態におけるスクリーン２０Ａの表示状態を示した図である。
図８（ａ）は、人物Ａが一人観察している場合のスクリーン２０Ａの表示例である。この場合、人物Ａに最も近いスクリーン上の位置ａを中心として画像（インターフェース）を１組表示される。
【００４９】
図８（ｂ）は、人物Ａの他に、画像表示装置１を挟んで人物Ａと対面する人物Ｂが、スクリーン２０Ａを観察している場合である。
この場合、スクリーン２０Ａは人物Ａ側とＢ側とで２分割される。分割されたＡ側の領域には、人物Ａに対する画像（インターフェース）が表示され、分割されたＢ側の領域には、人物Ｂに対する画像（インターフェース）が表示される。
【００５０】
図８（ｃ）は、人物Ａと人物Ｂがスクリーンを観察しているときに、人物Ｃが人物Ａと人物Ｂとの間の位置ｂ’に加わった場合の表示例である。
この場合、スクリーンは３分割される。図８（ｂ）の状態より狭くなったＡ側の領域に、人物Ａに対する画像（インターフェース）が表示され、図８（ｂ）の状態より狭くなったＢ側の領域に人物Ｂに対する画像（インターフェース）が表示される。そして、Ｃ側の領域には、人物Ｃに対する画像（インターフェース）が表示される。
【００５１】
ここで、図８（ｂ）の場合、第２実施形態では、スクリーン２０Ａが平面状であるので、人物が２人でも他者の画面が見える。このため、遮蔽構造１００がオンになり、人物Ａから見ると、人物Ｂ側のスクリーンが見えない。
【００５２】
図８（ｃ）の場合、人物Ａから見ると人物Ａ及びＢの画像が除き見られる可能性がある。そこで、人物Ｃ及び人物Ｂに向いた領域に対応する遮蔽構造１００が自動的にオンにされる。
【００５３】
以上、第２実施形態においても、第１実施形態と同様に、スクリーン上の領域を複数の領域に分け、その領域ごとに独立してオン・オフが可能な遮蔽構造１００を設け、それを各領域の画面の前に人物がいるか否かの判定と連動するように構成したため、利便性が向上する。
【００５４】
（変形形態）
なお、実施形態及び変形形態は、適宜組み合わせて用いることもできるが、詳細な説明は省略する。また、本発明は以上説明した実施形態によって限定されることはない。
（１）実施形態では、スクリーン表面を８つの領域に分割したが、これに限定されず、８以上でも、また８以下であってもよい。
（２）実施形態では、遮蔽構造として、スクリーンの視野角を電気的に制御できる液晶であり、電圧をかけることで液晶分子の配向を制御する構造としたが、これに限定されるものではない。他の公知のいかなる方法であっても良い。
（３）実施形態では、半球状又は球面のスクリーンについて説明したが、これに限定されず、他の形状、例えば円錐、円柱、角柱、多面体等どのような形状であっても良い。
（４）実施形態では、１つの領域に３枚の平面状の遮蔽部材を設ける形状について説明したがこれに限定されず、それ以上の枚数又はそれ以下の枚数でもよい。また平面状に限らず曲面状であっても良い。
【符号の説明】
【００５５】
Ｒ：分割領域、１：画像表示装置、１０：表示部、２０：スクリーン、２０Ａ：スクリーン、２１：タッチパネル、３０：画像投影部、３１：投影レンズ、３２：表示素子、５０：制御装置、５１：制御回路、５１ａ：画像処理部、５１ｃ：人物検出部、１００：遮蔽構造、１０１：スイッチ
【図１】
2014233005.tif 000003
【図２】
2014233005.tif 000004
【図３】
2014233005.tif 000005
【図４】
2014233005.tif 000006
【図５】
2014233005.tif 000007
【図６】
2014233005.tif 000008
【図７】
2014233005.tif 000009
【図８】
2014233005.tif 000010